(57)【要約】【課題】原稿載置板に対する本などを押し付ける力が適切であるか否かを判定することが可能な原稿読取装置を提供する。【解決手段】２頁分の原稿５１の綴じられている中央領域５１ａが原稿載置板２より浮き上がっている状態では、原稿画像の中央領域５１ａに広い暗部５２が生じ、文字等の一部を読取ることができなくなる。ところが、原稿５１を手で押し付けて、原稿５１の中央領域５１ａの浮き上がりを低減させた状態では、原稿画像の中央領域５１ａにおける暗部５２が狭くなり、読取りが不可能な文字等がなくなる。このため、読取り走査系４２により読取られた原稿画像から中央領域５１ａを抽出し、この中央領域５１ａの暗部５２の幅を求め、この幅が閾値以下になったときには、原稿載置板２に対する原稿の押え付け度合いが適切であると判定することができる。【選択図】図４
2009253456.tif 000002
【特許請求の範囲】
【請求項１】
原稿が載置される透明な原稿載置板と、原稿の画像を原稿載置板を介して読取る原稿読取り手段とを備える原稿読取装置において、
前記原稿読取り手段により読取られた原稿の画像から該原稿の画像中央領域を抽出し、この原稿の画像中央領域に基づいて、前記原稿載置板に対する原稿の押え付け度合いが適切であるか否かを判定する制御手段を備えることを特徴とする原稿読取装置。
【請求項２】
前記制御手段は、前記原稿の画像中央領域の暗部を抽出し、この暗部の幅を求め、この暗部の幅が閾値以下のときに、前記原稿載置板に対する原稿の押え付け度合いが適切であると判定することを特徴とする請求項１に記載の原稿読取装置。
【請求項３】
前記制御手段は、前記原稿の画像中央領域の明部を抽出し、この明部の幅を求め、この明部の幅が閾値以上のときに、前記原稿載置板に対する原稿の押え付け度合いが適切であると判定することを特徴とする請求項１に記載の原稿読取装置。
【請求項４】
前記制御手段は、前記原稿の画像中央領域両側にあるそれぞれの明部を抽出し、これらの明部の幅を求め、これらの明部の幅が閾値以上のときに、前記原稿載置板に対する原稿の押え付け度合いが適切であると判定することを特徴とする請求項１に記載の原稿読取装置。
【請求項５】
前記原稿載置板上に載置された原稿サイズもしくは原稿位置を検出する原稿検出手段を備え、
前記制御手段は、原稿検出手段により検出された原稿サイズもしくは原稿位置に基づいて、前記原稿読取り手段により読取られた原稿の画像中央領域を判定し、この画像中央領域を抽出することを特徴とする請求項１に記載の原稿読取装置。
【請求項６】
前記制御手段は、前記原稿読取り手段を制御して、原稿読取り手段による原稿の画像の読取りを繰り返し行わせ、この原稿の画像の読取りの度に、原稿の画像中央領域を抽出し、この原稿の画像中央領域に基づいて、前記原稿載置板に対する原稿の押え付け度合いが適切であるか否かを判定することを特徴とする請求項１に記載の原稿読取装置。
【請求項７】
前記原稿載置板に対する過度の原稿の押え付けを検出する原稿押え付け検出手段を備えることを特徴とする請求項１に記載の原稿読取装置。
【請求項８】
前記制御手段は、前記原稿載置板に対する原稿の押え付け度合いが適切であることを判定すると、前記原稿読取り手段による原稿の画像の読取りを開始させることを特徴とする請求項１に記載の原稿読取装置。
【請求項９】
前記制御手段により抽出された原稿の画像中央領域を表示する表示手段を備えることを特徴とする請求項１に記載の原稿読取装置。
【請求項１０】
前記表示手段は、前記制御手段により原稿の押え付け度合いが適切であると判定されたときに、原稿の画像中央領域を表示し、
制御手段は、表示手段による表示開始から一定時間が経過するまでに、前記原稿読取り手段による通常の読取り開始が指示されなければ、原稿の画像中央領域の抽出及び判定を再び行うことを特徴とする請求項９に記載の原稿読取装置。
【請求項１１】
前記原稿読取り手段は、原稿の画像を副走査方向に走査しつつ、原稿の画像を主走査方向に沿って繰り返し読取り、
前記制御手段は、原稿読取り手段により読取られた原稿の画像から、原稿の画像の中央領域における副走査方向の画素列を抽出し、この副走査方向の画素列に基づいて、前記原稿載置板に対する原稿の押え付け度合いが適切であるか否かを判定することを特徴とする請求項１に記載の原稿読取装置。
【請求項１２】
前記原稿読取り手段は、副走査方向の規定位置で、原稿の画像を主走査方向に沿って読取り、
前記制御手段は、原稿読取り手段により読取られた原稿の画像から、原稿の画像中央領域における主走査方向の画素列を抽出し、この主走査方向の画素列に基づいて、前記原稿載置板に対する原稿の押え付け度合いが適切であるか否かを判定することを特徴とする請求項１に記載の原稿読取装置。
【発明の詳細な説明】
【技術分野】
【０００１】
本発明は、透明な原稿載置板に載置された原稿の画像を該原稿載置板を介して読取る原稿読取装置に関する。
【背景技術】
【０００２】
この種の原稿読取装置は、スキャナーとも称され、単独で又は複写機等に搭載されて用いられる。単独で用いられる場合は、読取られた原稿の画像が外部のプリンター等に出力され、また複写機に搭載されて用いられる場合は、読取られた原稿の画像が複写機で複写される。
【０００３】
このような原稿読取装置の概略構成は、原稿が載置される透明な原稿載置板と、原稿載置板下方に設けられた読取り走査系とを備えてなる。読取り走査系は、副走査方向の走査を行いつつ、原稿載置板上の原稿の画像を該原稿載置板を介して主走査方向に繰り返し読取り、原稿の全体画像を読取る。
【０００４】
ここで、１枚の原稿を原稿載置板上に載置した状態では、原稿が平坦になることから、原稿の画像を良好に読取ることができる。ところが、本などの綴じられた原稿を開いて、２頁分の原稿を原稿載置板に載置すると、２頁分の原稿間の綴じられている中央領域が原稿載置板より浮き上がり、この中央領域が原稿載置板に対して傾斜し離間するので、２頁分の原稿間の中央領域を良好に読取ることができなくなる。このため、通常は、本などを原稿載置板に手で押し付けて、２頁分の原稿間の中央領域の浮き上がりを低減させて、原稿の読取りを行うようにしている。
【０００５】
このとき、２頁分の原稿を原稿載置板上に押し付ける力が弱いと、２頁分の原稿間の中央領域の浮き上がりが低減されず、読取った原稿の画像の中央領域近傍に影（暗部）が生じ、この中央領域近傍の文字が影で読めなくなる。また、２頁分の原稿を原稿載置板上に押し付ける力が強過ぎると、２頁分の原稿間の中央領域の浮き上がりが良好に低減されるものの、利用者の負担が大きく、また原稿載置板に大きな力が作用して、原稿載置板が歪んで変形したり、原稿載置板が破損することもあり得る。
【０００６】
このため、特許文献１では、本などを原稿載置板に押し付けたときに、原稿載置板の変形量を検出し、この変形量が許容範囲を超えたときに、本などを押し付ける力が強すぎる旨を報知するようにしている。
【特許文献１】特開平１１−２２３８８７号公報
【発明の開示】
【発明が解決しようとする課題】
【０００７】
しかしながら、特許文献１では、原稿載置板に対する本などを押し付ける力が強すぎる旨を報知することができても、この押し付ける力が適切であるか否かを報知するには至らず、本などを良好に読取るための支援を適切に行うことができなかった。
【０００８】
そこで、本発明は、上記従来の問題点に鑑みなされたものであり、原稿載置板に対する本などを押し付ける力が適切であるか否かを判定することが可能な原稿読取装置を提供することを目的とする。
【課題を解決するための手段】
【０００９】
上記課題を解決するために、本発明の原稿読取装置は、原稿が載置される透明な原稿載置板と、原稿の画像を原稿載置板を介して読取る原稿読取り手段とを備える原稿読取装置において、前記原稿読取り手段により読取られた原稿の画像から該原稿の画像中央領域を抽出し、この原稿の画像中央領域に基づいて、前記原稿載置板に対する原稿の押え付け度合いが適切であるか否かを判定する制御手段を備えている。
【００１０】
例えば、前記制御手段は、前記原稿の画像中央領域の暗部を抽出し、この暗部の幅を求め、この暗部の幅が閾値以下のときに、前記原稿載置板に対する原稿の押え付け度合いが適切であると判定する。
【００１１】
あるいは、前記制御手段は、前記原稿の画像中央領域の明部を抽出し、この明部の幅を求め、この明部の幅が閾値以上のときに、前記原稿載置板に対する原稿の押え付け度合いが適切であると判定する。
【００１２】
更に、前記制御手段は、前記原稿の画像中央領域両側にあるそれぞれの明部を抽出し、これらの明部の幅を求め、これらの明部の幅が閾値以上のときに、前記原稿載置板に対する原稿の押え付け度合いが適切であると判定する。
【００１３】
また、前記原稿載置板上に載置された原稿サイズもしくは原稿位置を検出する原稿検出手段を備え、前記制御手段は、原稿検出手段により検出された原稿サイズもしくは原稿位置に基づいて、前記原稿読取り手段により読取られた原稿の画像中央領域を判定し、この画像中央領域を抽出する。
【００１４】
更に、前記制御手段は、前記原稿読取り手段を制御して、原稿読取り手段による原稿の画像の読取りを繰り返し行わせ、この原稿の画像の読取りの度に、原稿の画像中央領域を抽出し、この原稿の画像中央領域に基づいて、前記原稿載置板に対する原稿の押え付け度合いが適切であるか否かを判定する。
【００１５】
また、前記原稿載置板に対する過度の原稿の押え付けを検出する原稿押え付け検出手段を備える。
【００１６】
更に、前記制御手段は、前記原稿載置板に対する原稿の押え付け度合いが適切であることを判定すると、前記原稿読取り手段による原稿の画像の読取りを開始させる。
【００１７】
また、前記制御手段により抽出された原稿の画像中央領域を抽出し、この原稿の画像中央領域を表示する表示手段を備える。
【００１８】
更に、前記表示手段は、前記制御手段により原稿の押え付け度合いが適切であると判定されたときに、原稿の画像中央領域を表示し、制御手段は、表示手段による表示開始から一定時間が経過するまでに、前記原稿読取り手段による通常の読取り開始が指示されなければ、原稿の画像中央領域の抽出及び判定を再び行う。
【００１９】
また、前記原稿読取り手段は、原稿の画像を副走査方向に走査しつつ、原稿の画像を主走査方向に沿って繰り返し読取り、前記制御手段は、原稿読取り手段により読取られた原稿の画像から、原稿の画像の中央領域における副走査方向の画素列を抽出し、この副走査方向の画素列に基づいて、前記原稿載置板に対する原稿の押え付け度合いが適切であるか否かを判定する。
【００２０】
更に、前記原稿読取り手段は、副走査方向の規定位置で、原稿の画像を主走査方向に沿って読取り、前記制御手段は、原稿読取り手段により読取られた原稿の画像から、原稿の画像中央領域における主走査方向の画素列を抽出し、この主走査方向の画素列に基づいて、前記原稿載置板に対する原稿の押え付け度合いが適切であるか否かを判定する。
【発明の効果】
【００２１】
このような構成の原稿読取装置では、読取られた原稿の画像から該原稿の画像中央領域を抽出し、この原稿の画像中央領域に基づいて、原稿載置板に対する原稿の押え付け度合いが適切であるか否かを判定している。
【００２２】
ここで、本などの綴じられた原稿を開いて、２頁分の原稿を原稿載置板に載置した状態では、２頁分の原稿間の綴じられている中央領域が原稿載置板より浮き上がり、読取った原稿の画像の中央領域に影（暗部）が生じる。このとき、原稿載置板に対して本などを押し付けると、２頁分の原稿間の中央領域が原稿載置板に近づいて、読取られた原稿の画像の中央領域が変化する。
【００２３】
そこで、本発明では、原稿の画像中央領域に基づいて、原稿載置板に対する原稿の押え付け度合いが適切であるか否かを判定している。これにより、利用者の負担が無用に大きくならずに済み、また原稿載置板に大きな力が作用して、原稿載置板が歪んで変形したり、原稿載置板が破損することがなくなる。
【００２４】
例えば、原稿載置板に対して本などを押し付ける力が強くなるほど、２頁分の原稿間の中央領域が原稿載置板に近づいて、読取られた原稿の画像の中央領域の暗部が狭くなるので、この暗部の幅が閾値以下のときに、原稿の押え付け度合いが適切であると判定することができる。
【００２５】
あるいは、原稿載置板に対して本などを押し付ける力が強くなるほど、２頁分の原稿間の中央領域が原稿載置板に近づいて、読取られた原稿の画像の中央領域の明部が広くなるので、この明部の幅が閾値以上のときに、原稿の押え付け度合いが適切であると判定することができる。
【００２６】
更に、原稿の画像中央領域両側にあるそれぞれの明部の幅が共に閾値以上のときに、原稿の押え付け度合いが適切であると判定しても良い。
【００２７】
例えば、原稿サイズもしくは原稿位置を検出すれば、この検出した原稿サイズもしくは原稿位置に基づいて、読取られた原稿の画像中央領域を判定し、この画像中央領域を抽出することができる。
【００２８】
更に、原稿の画像の読取りを繰り返し行わせ、この原稿の画像の読取りの度に、原稿の画像中央領域を抽出し、この原稿の画像中央領域に基づいて、原稿の押え付け度合いが適切であるか否かを判定しても良い。このような繰り返しの判定により、原稿の押え付け度合いを調節しながら適切にすることが可能となる。
【００２９】
また、過度の原稿の押え付けを検出している。これにより、原稿の押え付け度合いが適切程度を超えて過度になったときに、これを直ちに検出して、原稿載置板が歪んで変形したり、原稿載置板が破損することを確実に防止することが可能となる。
【００３０】
更に、原稿の押え付け度合いが適切であることを判定すると、画像の読取りを開始させている。これにより、原稿の画像全体を確実に読取ることができる。
【００３１】
また、抽出された原稿の画像中央領域を抽出し、この原稿の画像中央領域を表示している。利用者は、この表示された原稿の画像中央領域を見ながら、原稿の押え付け度合いを調節することができ、適切な押え付け度合いを容易に実現することができる。
【００３２】
更に、原稿の画像中央領域の表示を開始してから一定時間が経過するまでに、通常の読取り開始が指示されなければ、原稿の画像中央領域の抽出及び判定に戻るようにしても良い。
【００３３】
例えば、原稿の中央領域が主走査方向に沿った状態では、原稿の画像を副走査方向に走査しつつ、原稿の画像を主走査方向に沿って繰り返し読取り、読取られた原稿の画像から、原稿の画像の中央領域における副走査方向の画素列を抽出し、この副走査方向の画素列に基づいて、原稿の押え付け度合いが適切であるか否かを判定することができる。
【００３４】
また、原稿の中央領域が副走査方向に沿った状態では、副走査方向の規定位置で、原稿の画像を主走査方向に沿って読取り、読取られた原稿の画像から、原稿の画像中央領域における主走査方向の画素列を抽出し、この主走査方向の画素列に基づいて、原稿の押え付け度合いが適切であるか否かを判定することができる。この場合は、副走査方向の走査を必要としない。
【発明を実施するための最良の形態】
【００３５】
以下、本発明の実施形態を添付図面を参照して詳細に説明する。
【００３６】
図１は、本発明の原稿読取装置の実施形態１を概略的に示す側面図である。本実施形態の原稿読取装置１では、透明なガラスからなる原稿載置板２の下方に、第１走査ユニット３、第２走査ユニット４、結像レンズ５、及びＣＣＤ（Charge Coupled Device）６等からなる読取り走査系を設けており、原稿載置板２上に載置された原稿を該原稿載置板２を介して下方の読取り走査系により読取る。
【００３７】
第１走査ユニット３は、蛍光灯や冷陰極管等からなる光源１１、光源１１の光を原稿載置板２の方向に反射して集光するリフレクタ１２、及び原稿載置板２上の原稿で反射された反射光の光路を９０度偏向するミラー１３等を備えている。
【００３８】
第２走査ユニット４は、第１走査ユニット３からの反射光の光路を１８０度偏向する一対のミラー１４を備えている。
【００３９】
第１及び第２走査ユニット３、４は、暗筐体２１内で副走査方向Ａに滑動自在に支持されている。また、暗筐体２１において、第１及び第２走査ユニット３、４の両側には、駆動プーリ２２、補助プーリ２３、移動プーリ２４、及び支持プーリ２５が設けられ、ワイヤー２６が各プーリ２２〜２５に張架されている。ワイヤー２６の一端２６ａが固定され、またワイヤー２６の他端２６ｂが該ワイヤー２６にテンションを付与するためのコイルバネ２７に接続されている。このワイヤー２６の途中に第１走査ユニット３が固定され、ワイヤー２６が巻回された移動プーリ２４が第２走査ユニット４で支持されている。
【００４０】
駆動プーリ２２が駆動用のモータにより回転駆動されると、ワイヤー２６が移動し、各プーリ２３〜２５が従動回転し、第１走査ユニット３が速度Ｖで副走査方向Ａに移動し、第２走査ユニット４が速度Ｖ／２で副走査方向Ａに移動する。これにより、第１及び第２走査３、４が副走査方向Ａに移動しても、原稿からＣＣＤ６までの反射光の光路長が一定に維持される。
【００４１】
原稿載置板２上に載置された原稿の読取りのときには、第１及び第２走査ユニット３、４が副走査方向Ａに移動されつつ、第１走査ユニット３の光源１１の光が原稿載置板２上の原稿に照射され、原稿からの反射光が第１走査ユニット３のミラー１３及び第２走査ユニット４の一対のミラー１４で反射されて結像レンズ５へと導かれ、この原稿からの反射光が結像レンズ５を介してＣＣＤ６に入射する。これにより、原稿の画像がＣＣＤ６上に結像され、ＣＣＤ６により原稿の画像が読取られる。
【００４２】
ＣＣＤ６は、第１及び第２走査ユニット３、４が副走査方向Ａに移動されている間、原稿の画像を主走査方向に繰り返し読取って、原稿の画像全体を読取る。
【００４３】
こうして読取られた原稿の画像全体は、画像データとして外部のプリンタ（図示せず）に出力され、プリンタにより画像が記録用紙に記録される。
【００４４】
また、副走査領域から外れた箇所には、シェーディング補正用の基準白板７が設けられている。第１走査ユニット３が基準白板７の下方まで移動され、基準白板７が読取り走査系により読取られ、ＣＣＤ６の出力に基づいて照明ムラ等を示すシェーディング補正データが求められる。このシェーディング補正データは、ＣＣＤ６により読取られた原稿の画像を補正するために用いられる。
【００４５】
図２は、原稿読取装置１の機構を示す斜視図である。図２に示すように第１走査ユニット３は、その両側の端部３ａが暗筐体２１の両側壁に固定されたそれぞれのガイドレール３１上に載せられて移動自在に支持され、同様に第２走査ユニット４も、その両側の端部４ａが暗筐体２１の両側壁に固定されたそれぞれのガイドレール３２上に載せられて移動自在に支持されている。
【００４６】
第１走査ユニット３には光源１１、リフレクタ１２、及びミラー１３等が設けられ、また第２走査ユニット４には一対のミラー１４が設けられている。
【００４７】
駆動プーリ２２、補助プーリ２３、移動プーリ２４、及び支持プーリ２５は、第１及び第２走査ユニット３、４の両側に設けられており、いずれの側でも、ワイヤー２６が各プーリ２２〜２５に張架され、ワイヤー２６の一端２６ａが固定され、またワイヤー２６の他端２６ｂが該ワイヤー２６にテンションを付与するためのコイルバネ２７に接続され、ワイヤー２６の途中に第１走査ユニット３が固定され、ワイヤー２６が巻回された移動プーリ２４が第２走査ユニット４で支持されている。
【００４８】
ステッピングモータ３３の出力軸にはギア３４が固定され、このギア３４がギヤ／プーリ（ギヤとプーリが一体成形されている）３５のギヤに歯合している。駆動プーリ２２の軸３６にはプーリ３７が固定され、ギヤ／プーリ３５のプーリと駆動プーリ２２側のプーリ３７間にベルト３８が張架されている。ステッピングモータ３３の出力軸が回転すると、この回転がギヤ／プーリ３５及びベルト３８を介して駆動プーリ２２側のプーリ３７に伝達され、両側の駆動プーリ２２が回転駆動される。
【００４９】
一方、第１及び第２走査ユニット３、４の両側において、ワイヤー２６は、固定されている一端２６ａから延びて第２走査ユニット４の移動プーリ２４内側に巻回され、移動プーリ２４から補助プーリ２３を介して駆動プーリ２２に巻回され、駆動プーリ２２から延びて支持プーリ２５に巻回され、支持プーリ２５から延びて移動プーリ２４外側に巻回され、移動プーリ２４から延びてコイルバネ２７に至っている。
【００５０】
ここで、コイルバネ２７によりワイヤー２６にテンションが付与されている状態で、ステッピングモータ３３により駆動プーリ２２が回転駆動されると、ワイヤー２６が移動し、第１走査ユニット３がワイヤー２６と共に移動する。また、第２走査ユニット４の移動プーリ２４が回転しつつ移動して、ワイヤー２６の移動速度が移動プーリ２４に減速されて伝達され、第２走査ユニット４が移動プーリ２４と共に減速移動する。これにより、第１走査ユニット３が速度Ｖで移動し、第２走査ユニット４が速度Ｖ／２で副走査方向Ａに移動する。
【００５１】
一方、暗筐体２１において、原稿載置板２の下方には複数の原稿サイズセンサ４１が配置されている。これらの原稿サイズセンサ４１は、原稿載置板２上に載置された原稿のサイズを検出するためのものであり、原稿の直交する２辺の位置を検出する。原稿載置板２上には各種定型サイズの原稿が載置されるが、原稿載置板２上で原稿が定位置に位置決めされるため、各原稿サイズセンサ４１により原稿の直交する２辺の位置を検出すれば、原稿が各種定型サイズのいずれであるかを求めることができる。
【００５２】
各原稿サイズセンサ４１は、発光素子及び受光素子を備える反射型光学センサであり、発光素子の光を原稿載置板２の方に照射し、原稿載置板２上の原稿で反射された反射光を受光素子で受光する。この反射光を受光した少なくとも１つの原稿サイズセンサ４１の位置に基づいて、原稿の定型サイズを判定することができる。
【００５３】
図３は、原稿読取装置１の制御系を示すブロック図である。図３において、読取り走査系４２は、図１の第１及び第２走査ユニット３、４、結像レンズ５、及びＣＣＤ６等からなり、原稿載置板２上の原稿の画像を読取って、原稿の画像を示す画像信号を画像処理部４３に出力する。画像処理部４３は、画像信号を入力すると、この画像信号を画像データにＡ／Ｄ変換し、この画像データに対して色変換処理、フィルタ処理、シェーディング補正等の画像処理を施す。記憶部４４は、画像処理部４３による画像データの処理に際し、画像データを一時的に記憶したり、画像処理された画像データを継続的に記憶する。この画像データは、外部からの要求に応じて、記憶部４４から通信部４５を介して外部の機器へ転送され、この後に記憶部４４から消去される。
【００５４】
また、図１の第１走査ユニット３が基準白板７の下方まで移動され、基準白板７が読取り走査系４２により読取られたときには、基準白板７を示す画像信号が画像処理部４３に入力される。画像処理部４３は、この画像信号を画像データにＡ／Ｄ変換し、この画像データに基づいてシェーディング補正データを作成し、このシェーディング補正データを記憶部４４に記憶する。そして、画像処理部４３は、記憶部４４内のシェーディング補正データを用いて、原稿の画像を示す画像データに対してシェーディング補正を施す。
【００５５】
ステッピングモータ３３は、図２に示すように第１及び第２走査ユニット３、４を副走査方向に移動させる駆動源である。
【００５６】
原稿サイズセンサ４１は、図２に示すように原稿載置板２上に載置された原稿のサイズを検出するためのものである。
【００５７】
表示操作部４６は、各種の情報を表示する表示画面、各種の入力操作を行うキーや表示画面上に重ねられたタッチパネル等を有している。
【００５８】
原稿載置板変形検出部４７は、原稿載置板２に取り付けられたストレインゲージで、原稿載置板２に対する過度の押圧を検出するために設けられる。
【００５９】
制御部４８は、原稿読取装置１全体を制御するものであり、ステッピングモータ３３を駆動制御して、第１及び第２走査ユニット３、４の移動や停止を制御したり、画像処理部４３や通信部４５を制御したり、記憶部４４に対するデータの書込みや読み出しを制御したり、表示操作部４６の表画面の表示を制御する。
【００６０】
画像処理部４３、通信部４５、及び制御部４８は、例えば、ＣＰＵ、ＣＰＵ実行するプログラムを格納するＲＯＭ、作業用の記憶領域を提供するＲＡＭ、画像処理を行う各ブロックの設定値を記憶する不揮発性メモリ、画像処理用ならびに通信用の回路ブロックを集積したＬＳＩなどを用いた回路で構成することができる。記憶部４４は、ＤＲＡＭや他の方式のメモリ素子で構成することができる。また、記憶部４４には、ＨＤＤなどの記憶装置を適用することもできる。
【００６１】
ところで、図４（ａ）に示すように本などの綴じられた原稿５１を開いて、２頁分の原稿５１を原稿載置板２に載置すると、２頁分の原稿５１の綴じられている中央領域５１ａが原稿載置板２より浮き上がり、この中央領域５１ａが原稿載置板２に対して傾斜し離間するので、２頁分の原稿５１の中央領域５１ａを良好に読取ることができなくなる。例えば、図４（ｂ）に示すように原稿画像の中央領域５１ａに広い暗部（影）５２が生じ、この広い暗部５２が原稿画像の文字等の一部に重なって、文字等の一部を読取ることができなくなる。
【００６２】
このため、通常は、２頁分の原稿５１を原稿載置板２に手で押し付けて、原稿５１の中央領域５１ａの浮き上がりを低減させて、原稿５１の読取りを行うようにしている。
【００６３】
このとき、２頁分の原稿５１を原稿載置板２上に押し付ける力が弱いと、原稿５１の中央領域５１ａの浮き上がりが十分に低減されず、原稿画像の中央領域５１ａにおける暗部５２の幅が狭くならない。また、２頁分の原稿５１を原稿載置板２上に押し付ける力が強過ぎると、原稿５１の中央領域５１ａの浮き上がりが低減されるものの、利用者の負担が大きく、また原稿載置板２に大きな力が作用して、原稿載置板２が歪んで変形したり、原稿載置板２が破損することもあり得る。
【００６４】
そこで、本実施形態では、読取り走査系４２により読取られた原稿画像から中央領域を抽出し、この原稿画像の中央領域に基づいて、原稿載置板２に対する原稿の押え付け度合いが適切であるか否かを判定している。
【００６５】
ここで、先に述べたように図４（ａ）に示すように２頁分の原稿５１の綴じられている中央領域５１ａが原稿載置板２より浮き上がっている状態では、図４（ｂ）に示すように原稿画像の中央領域５１ａに広い暗部５２が生じ、文字等の一部を読取ることができなくなる。ところが、図５（ａ）に示すように原稿５１を手で押し付けて、原稿５１の中央領域５１ａの浮き上がりを低減させた状態では、図５（ｂ）に示すように原稿画像の中央領域５１ａにおける暗部５２が狭くなり、読取りが不可能な文字等がなくなる。
【００６６】
従って、原稿５１の中央領域５１ａの浮き上がりの程度により、原稿画像の中央領域５１ａにおける暗部５２の幅が変化する。このため、読取り走査系４２により読取られた原稿画像から中央領域５１ａを抽出し、この中央領域５１ａの暗部５２の幅を求め、この幅が閾値以下になったときには、読取り不可能な文字等がなく、原稿載置板２に対する原稿の押え付け度合いが適切であると判定することができる。
【００６７】
具体的には、各原稿サイズセンサ４１の検出出力に基づいて、原稿載置板２上に載置された原稿の定型サイズを求め、原稿の定型サイズに含まれる主走査ライン数Ｍ（副走査方向における原稿の定型サイズの長さに相当する）を求める。そして、図４（ｂ）、図５（ｂ）に示すように最初の主走査ラインを１番目とし、最後の主走査ラインをＭ番目とし、原稿の定型サイズにおける中央の主走査ラインをＭ／２番目とすると、Ｍ／２−ｄ番目（中央領域５１ａの先頭主走査ライン）からＭ／２＋ｄ番目（中央領域５１ａの最終主走査ライン）までの各主走査ラインを選択する。更に、読取り走査系４２により読取られた原稿画像において、選択した該各主走査ラインから、１本の副走査ラインＳ１に沿うＭ／２−ｄ番目からＭ／２＋ｄ番目までの各画素値Ｌ(M/2-d)、Ｌ(M/2-d+1)、…、Ｌ(M/2+d-1)、Ｌ(M/2+d)を求める。同様に、他の副走査ラインＳ２、……に沿うＭ／２−ｄ番目からＭ／２＋ｄ番目までの各画素値Ｌ(M/2-d)〜Ｌ(M/2+d)を求める。要するに、複数の副走査ラインＳ１、Ｓ２、…別に、副走査ラインに沿うＭ／２−ｄ番目からＭ／２＋ｄ番目までの各画素値Ｌ(M/2-d)〜Ｌ(M/2+d)を求める。そして、Ｍ／２−ｄ番目からＭ／２＋ｄ番目までの各主走査ライン別に、同一主走査ライン上の各画素値のうちから最小値（最も黒に近い値）を選択し、各主走査ラインの最小の画素値Ｌmin(M/2-d)〜Ｌmin(M/2+d)からなる最小の画素値列を求める。尚、各画素値Ｌ(M/2-d)〜Ｌ(M/2+d)を求める副走査ラインの本数は、適宜設定すれば良い。また、一定間隔の主走査ライン毎に、最小の画素値を選択して、最小の画素値列を求めても良い。
【００６８】
これにより、図４（ｂ）に示すような２頁分の原稿画像の中央領域５１ａについては、図４（ｃ）に示すようなＭ／２−ｄ番目からＭ／２＋ｄ番目までの最小の画素値列が求められる。同様に、図５（ｂ）に示すような中央領域５１ａについては、図５（ｃ）に示すようなＭ／２−ｄ番目からＭ／２＋ｄ番目までの最小の画素値列が求められる。
【００６９】
図５（ｂ）に示すように中央領域５１ａにおける暗部５２両側の余白の明部５３では、図５（ｃ）に示すように最小の画素値が大きくなる。また、図４（ｂ）、図５（ｂ）に示すように中央領域５１ａにおける外側の印字部５４では、図４（ｃ）、図５（ｃ）に示すように画素値が繰り返し変化する。更に、図４（ｂ）、図５（ｂ）に示すように中央領域５１ａにおける暗部５２では、図４（ｃ）、図５（ｃ）に示すように画素値が小さくなる。
【００７０】
従って、図４（ｃ）、図５（ｃ）に示すように中央領域５１ａにおいて、画素値が閾値Ｔh1以下となっている各画素の連続長さを求めれば、これを暗部５２の測定幅Ｄａとして求めることができる。
【００７１】
更に、図４（ｃ）に示すように暗部５２の測定幅Ｄａが閾値Ｄ0以上となれば、暗部５２が広くて、原稿載置板２に対する原稿の押え付け度合いが適切ではないと判定することができる。また、図５（ｃ）に示すように暗部５２の測定幅Ｄａが閾値Ｄ0未満であれば、暗部５２が狭くて、原稿載置板２に対する原稿の押え付け度合いが適切であると判定することができ、過度な押え付けを未然に防止することが可能となる。
【００７２】
次に、図６のフローチャートを参照しつつ、そのような原稿の押え付け度合いが適切であるか否かの判定処理を説明する。尚、変数Ｘは、原稿画像の中央領域５１ａにおけるＭ／２−ｄ番目からＭ／２＋ｄ番目までの画素の順番を示す指数であり、変数Ｘ＝「０」のときに先頭画素の順番（Ｍ／２−ｄ番目）が示され、変数Ｘ＝「Max」のときに最終画素の順番（Ｍ／２＋ｄ番目）が示される。
【００７３】
まず、制御部４８は、最小の画素値列を求めた回数Ｃを「０」に初期設定し（ステップＳ１０１）、先に述べたように各原稿サイズセンサ４１の検出出力に基づいて、原稿載置板２上に載置された原稿の定型サイズを求め、この定型サイズから原稿画像の中央領域５１ａを抽出し、この中央領域５１ａにおける最小の画素値列を求める（ステップＳ１０２）。
【００７４】
引き続いて、制御部４８は、原稿載置板変形検出部４７の検出出力に基づき、原稿載置板２に対して原稿が過度に押圧されているか否かを判定し（ステップＳ１０３）、原稿が過度に押圧されていると判定したならば（ステップＳ１０３で「Ｙｅｓ」）、この旨の警告を表示操作部４６の表示画面に表示して（ステップＳ１０４）、ステップＳ１０１に戻る。このため、利用者は、原稿が過度に押圧されていることを直ちに察知して、原稿の押え付け度合いを適宜に緩めることができる。また、原稿が過度に押圧されている限り、原稿画像の中央領域５１ａにおける最小の画素値列が繰り返し求められて更新される。
【００７５】
また、制御部４８は、原稿が過度に押圧されていないと判定したならば（ステップＳ１０３で「Ｎｏ」）、変数Ｘを「０」に初期設定し（ステップＳ１０５）、暗部５２の測定幅Ｄａを「０」に初期設定する（ステップＳ１０６）。そして、制御部４８は、ステップＳ１０２で求めた中央領域５１ａにおける最小の画素値列から、変数Ｘ「０」によって示される先頭の画素の画素値を抽出し、この先頭の画素値が閾値Ｔh1以下であるか否かを判定する（ステップＳ１０７）。
【００７６】
例えば、先頭の画素値が閾値Ｔh1を越えていれば（ステップＳ１０７で「Ｎｏ」）、先頭の画素が明るくて暗部５２を示さないことから、制御部４８は、暗部５２の測定幅Ｄａを「０」に初期設定し（ステップＳ１０８）、変数Ｘを「１」に歩進して更新し（ステップＳ１０９）、変数Ｘが「Max」に達していないことを確認してから（ステップＳ１１０Ｓで「Ｎｏ」）、ステップＳ１０７に戻る。
【００７７】
引き続いて、制御部４８は、ステップＳ１０２で求めた中央領域５１ａにおける最小の画素値列から、変数Ｘ「１」によって示される２番目の画素の画素値を抽出し、この２番目の画素値が閾値Ｔh1以下であるか否かを判定する（ステップＳ１０７）。例えば、２番目の画素値が閾値Ｔh1以下であるとすると（ステップＳ１０７で「Ｙｅｓ」）、２番目の画素値が暗部５２を示す可能性があることから、暗部５２の測定幅Ｄａを「１」に歩進し（ステップＳ１１１）、暗部５２の測定幅Ｄａが閾値Ｄ0未満であることを確認してから（ステップＳ１１２で「Ｎｏ」）、変数Ｘを「Ｘ＋１」に歩進して更新し（ステップＳ１０９）、更に変数Ｘが「Max」に達していないことを確認してから（ステップＳ１１０Ｓで「Ｎｏ」）、ステップＳ１０７に戻る。
【００７８】
以降同様に、変数Ｘが逐次歩進され、変数Ｘによって示される順番の画素値が抽出され、抽出された画素値が閾値Ｔh1を越えていれば、暗部５２の測定幅Ｄａが「０」に初期設定され、また抽出された画素値が閾値Ｔh1以下であれば、暗部５２の測定幅Ｄａが歩進され、次の画素の画素値が抽出される。
【００７９】
ここで、図４（ｂ）、図５（ｂ）に示すように原稿画像の中央領域５１ａにおいては、変数Ｘの歩進に伴い、変数Ｘによって示される順番の画素が印字部５４もしくは明部５３を移行して行く。このときには、画素値が閾値Ｔh1を越える確率が高いので、暗部５２の測定幅Ｄａが閾値Ｄ0以上となる前に、測定幅Ｄａが「０」に初期設定され、ステップＳ１０７〜Ｓ１１０が繰り返されることになる。
【００８０】
引き続いて、変数Ｘの歩進に伴い、変数Ｘによって示される順番の画素が暗部５２に近づいて行き、更には変数Ｘによって示される順番の画素が暗部５２に入る。このとき、制御部４８は、変数Ｘによって示される順番の画素値が閾値Ｔh1以下であると判定し（ステップＳ１０７で「Ｙｅｓ」）、この画素値が暗部５２を示す可能性があることから、暗部５２の測定幅Ｄａを「１」に歩進し（ステップＳ１１１）、暗部５２の測定幅Ｄａが閾値Ｄ0未満であることを確認してから（ステップＳ１１２で「Ｎｏ」）、変数Ｘを歩進して更新し（ステップＳ１０９）、更に変数Ｘが「Max」に達していないことを確認してから（ステップＳ１１０Ｓで「Ｎｏ」）、ステップＳ１０７に戻る。
【００８１】
この後、変数Ｘによって示される順番が更新される度に、変数Ｘによって示される順番の画素が閾値Ｔh1以下であると判定され（ステップＳ１０７で「Ｙｅｓ」）、暗部５２の測定幅Ｄａが歩進され（ステップＳ１１１）、暗部５２の測定幅Ｄａが閾値Ｄ0未満であると判定され（ステップＳ１１２で「Ｎｏ」）、変数Ｘが歩進されて更新され（ステップＳ１０９）、変数Ｘが「Max」に達していないことが確認されてから（ステップＳ１１０Ｓで「Ｎｏ」）、ステップＳ１０７に戻る。
【００８２】
従って、変数Ｘによって示される順番の画素が閾値Ｔh1以下であって、暗部５２の測定幅Ｄａが閾値Ｄ0未満である限りは、暗部５２の測定幅Ｄａが更新されて行く。
【００８３】
例えば、図４（ｂ）に示すように原稿画像の中央領域５１ａに広い暗部５２があるとすると、変数Ｘによって示される順番が更新される度に、変数Ｘによって示される順番の画素が閾値Ｔh1以下であると判定され、暗部５２の測定幅Ｄａが歩進されて行き、暗部５２の測定幅Ｄａが閾値Ｄ0以上になる。
【００８４】
このとき、制御部４８は、暗部５２の測定幅Ｄａが閾値Ｄ0以上であると判定し（ステップＳ１１２で「Ｙｅｓ」）、原稿載置板２に対する原稿の押え付け度合いが弱過ぎるとみなし、ステップＳ１０２で求めた最小の画素値列によって示される中央領域５１ａの明暗画像を表示操作部４６の表示画面に表示する（ステップＳ１１３）。この中央領域５１ａの明暗画像は、図４（ｂ）の原稿画像の中央領域５１ａと略同様のものとなる。このため、利用者は、表示画面上の中央領域５１ａの明暗画像を見て、原稿載置板２に対して原稿が十分に押圧されていないことを直ちに察知することができる。
【００８５】
引き続いて、制御部４８は、最小の画素値列を求めた回数Ｃを「１」に歩進し（ステップＳ１１４）、この回数Ｃが許容回数「１０」に達していないことを確認してから（ステップＳ１１５「Ｎｏ」）、ステップＳ１０２に戻る。
【００８６】
従って、暗部５２の測定幅Ｄａが閾値Ｄ0以上になると、原稿載置板２に対して原稿が十分に押圧されていなとみなされて、ステップＳ１０２〜Ｓ１１５の処理が繰り返され、中央領域５１ａの明暗画像が表示操作部４６の表示画面に表示される。このため、利用者は、表示画面上の中央領域５１ａの明暗画像を見ながら、原稿の押え付け度合いを適切に調節することができる。
【００８７】
ただし、ステップＳ１０２〜Ｓ１１５の処理が繰り返される度に、最小の画素値列を求めた回数Ｃが歩進され、この回数Ｃが許容回数「１０」に達したならば（ステップＳ１１５で「Ｙｅｓ」）、制御部４８は、原稿画像の中央領域５１ａにおける暗部５２の幅が狭くならず、原稿の押え付け度合いを調節することができなかったことから、原稿の読取りが不可能な旨を表示操作部４６の表示画面に表示する（ステップＳ１１６）。
【００８８】
また、原稿の押え付け度合いを適切に調節することができ、図５（ｂ）に示すように原稿画像の中央領域５１ａにおける暗部５２が狭くなったとする。この場合は、ステップＳＳ１１２で暗部５２の測定幅Ｄａが閾値Ｄ0以上であると判定される前に、つまり明部５２の幅が広過ぎるとみなされる前に、変数Ｘによって示される順番の画素が暗部５２から明部５３へと移行するので、この順番の画素値が閾値Ｔh1を越えると判定され（ステップＳ１０７で「Ｎｏ」）、暗部５２の測定幅Ｄａが「０」に初期設定され（ステップＳ１０８）、変数Ｘが歩進されて（ステップＳ１０９）、変数Ｘが「Max」に達していないことが確認されてから（ステップＳ１１０Ｓで「Ｎｏ」）、ステップＳ１０７に戻る。
【００８９】
引き続いて、ステップＳ１０２〜Ｓ１１５が繰り返され、変数Ｘが歩進されて、変数Ｘが「Max」に達すると、制御部４８は、変数Ｘが「Max」に達したと判定して（ステップＳ１１６で「Ｙｅｓ」）、ステップＳ１０２で求めた最小の画素値列によって示される中央領域５１ａの明暗画像を表示操作部４６の表示画面に表示する（ステップＳ１１７）。このとき、利用者は、表示操作部４６の表示画面を見て、原稿５１の綴じられている中央領域５１ａが浮き上がっていないことを確認した後で、表示操作部４６のキー操作により原稿の読取開始を指示することができる。
【００９０】
制御部４８は、表示操作部４６のキー操作により原稿の読取開始が指示されたか否かを判定しつつ（ステップＳ１１８）、ステップＳ１１７の表示開始からの経過時間を計時して、この経過時間が一定時間に達したか否かを判定し（ステップＳ１１９）、経過時間が一定時間に達する前に（ステップＳ１１９で「Ｎｏ」）、原稿の読取開始が指示されたならば（ステップＳ１１８で「Ｙｅｓ」）、読取り走査系４２を駆動制御して、原稿載置板２上の原稿の画像を読取る（ステップＳ１２０）。
【００９１】
また、制御部４８は、原稿の読取開始が指示されないまま（ステップＳ１１８で「Ｎｏ」）、経過時間が一定時間に達すると（ステップＳ１１９で「Ｙｅｓ」）、ステップＳ１１４に移行する。
【００９２】
このように本実施形態では、原稿画像から中央領域５１ａを抽出し、この中央領域５１ａにおける暗部５２の幅を求め、この幅が閾値以下になったときに、原稿載置板２に対する原稿の押え付け度合いが適切であると判定している。このため、利用者の負担が無用に大きくならずに済み、また過度な押え付けを未然に防止することが可能となる。また、中央領域５１ａにおける暗部５２の幅が閾値以下になると、原稿の画像を直ちに読取っているので、原稿の画像の読取りを良好に行うことができる。更に、原稿載置板２に対する原稿の押え付け度合いが弱過ぎると、中央領域５１ａの明暗画像を表示操作部４６の表示画面に表示しているので、この明暗画像を見ながら、原稿の押え付け度合いを適切に調節することができる。また、原稿載置板変形検出部４７の検出出力に基づき、原稿載置板２に対して原稿が過度に押圧されていると判定したときには、この旨の警告を表示操作部４６の表示画面に表示しているので、原稿の押え付け度合いを適宜に緩めることができる。
【００９３】
次に、本発明の原稿読取装置の実施形態２を説明する。本実施形態の原稿読取装置１は、実施形態１の装置と同様に、図１、図２、及び図３に示すように構成されているが、原稿載置板２に対する原稿の押え付け度合いが適切であるか否かの判定方法に特徴がある。
【００９４】
図４（ａ）に示すように２頁分の原稿５１の綴じられている中央領域５１ａが原稿載置板２より浮き上がっている状態では、図４（ｂ）に示すように原稿画像の中央領域５１ａにおける暗部５２が広くなるだけではなく、両側の明部５３が狭くなったり無くなり、また図５（ａ）に示すように原稿５１を手で押し付けて、原稿５１の中央領域５１ａの浮き上がりを低減させた状態では、図５（ｂ）に示すように原稿画像の中央領域５１ａにおける暗部５２が狭くなるだけではなく、両側の明部５３が広くなる。
【００９５】
従って、原稿画像の中央領域５１ａにおける両側の明部５３の幅を求め、この幅が閾値以上になったときに、原稿載置板２に対する原稿の押え付け度合いが適切であると判定することができる。この場合も、先に述べたように原稿画像の中央領域５１ａにおいて、複数の副走査ラインＳ１、Ｓ２、…別に、副走査ラインに沿う各画素値Ｌ(M/2-d)〜Ｌ(M/2+d)を求める。そして、Ｍ／２−ｄ番目からＭ／２＋ｄ番目までの各主走査ライン別に、同一主走査ライン上の各画素値のうちから最小値を選択し、各主走査ラインの最小の画素値Ｌmin(M/2-d)〜Ｌmin(M/2+d)からなる最小の画素値列を求める。
【００９６】
そして、中央領域５１ａにおいて、画素値が閾値Ｔh2以上となっている各画素の連続長さを明部５３の測定幅Ｄｂとして求める。更に、図５（ｃ）に示すように明部５３の測定幅Ｄｂが閾値Ｄ1以上となれば、明部５３が広くて、原稿載置板２に対する原稿の押え付け度合いが適切であると判定する。また、明部５３の測定幅Ｄｂが閾値Ｄ1未満であれば、明部５３が狭くて、原稿載置板２に対する原稿の押え付け度合いが適切でないと判定する。
【００９７】
次に、図７のフローチャートを参照しつつ、そのような原稿の押え付け度合いが適切であるか否かの判定処理を説明する。
【００９８】
まず、制御部４８は、最小の画素値列を求めた回数Ｃを「０」に初期設定し（ステップＳ２０１）、各原稿サイズセンサ４１の検出出力に基づいて、原稿載置板２上に載置された原稿の定型サイズを求め、この定型サイズから原稿画像の中央領域５１ａを抽出し、この中央領域５１ａにおける最小の画素値列を求める（ステップＳ２０２）。
【００９９】
引き続いて、制御部４８は、原稿載置板変形検出部４７の検出出力に基づき、原稿載置板２に対して原稿が過度に押圧されているか否かを判定し（ステップＳ２０３）、原稿が過度に押圧されていると判定したならば（ステップＳ２０３で「Ｙｅｓ」）、この旨の警告を表示操作部４６の表示画面に表示して（ステップＳ２０４）、ステップＳ２０１に戻る。このため、利用者は、原稿が過度に押圧されていることを直ちに察知して、原稿の押え付け度合いを適宜に緩めることができる。また、原稿が過度に押圧されている限り、原稿画像の中央領域５１ａにおける最小の画素値列が繰り返し求められる。
【０１００】
また、制御部４８は、原稿が過度に押圧されていないと判定したならば（ステップＳ２０３で「Ｎｏ」）、変数Ｘを「０」に初期設定し（ステップＳ２０５）、明部５３の測定幅Ｄｂを「０」に初期設定する（ステップＳ２０６）。そして、制御部４８は、ステップＳ２０２で求めた中央領域５１ａにおける最小の画素値列から、変数Ｘ「０」によって示される先頭の画素の画素値を抽出し、この先頭の画素の画素値が閾値Ｔh2以上であるか否かを判定する（ステップＳ２０７）。
【０１０１】
例えば、先頭の画素の画素値が閾値Ｔh2以上であれば（ステップＳ２０７で「Ｙｅｓ」）、先頭の画素値が明部５３を示す可能性があることから、明部５３の測定幅Ｄｂを「１」に歩進し（ステップＳ２０８）、明部５３の測定幅Ｄｂが閾値Ｄ1未満であることを確認してから（ステップＳ２０９で「Ｎｏ」）、変数Ｘを「Ｘ＋１」に歩進して更新し（ステップＳ２１０）、更に変数Ｘが「Max」に達していないことを確認してから（ステップＳ２１１で「Ｎｏ」）、ステップＳ２０７に戻る。
【０１０２】
引き続いて、制御部４８は、ステップＳ２０２で求めた中央領域５１ａにおける最小の画素値列から、変数Ｘ「１」によって示される２番目の画素の画素値を抽出し、この２番目の画素値が閾値Ｔh2以上であるか否かを判定する（ステップＳ２０７）。例えば、２番目の画素値が閾値Ｔh2未満であるとすると（ステップＳ２０７で「Ｎｏ」）、２番目の画素値が明部５３を示さないことから、制御部４８は、明部５３の測定幅Ｄｂを「０」に初期設定し（ステップＳ２１２）、変数Ｘを「１」に歩進して更新し（ステップＳ２１０）、更に変数Ｘが「Max」に達していないことを確認してから（ステップＳ２１１で「Ｎｏ」）、ステップＳ２０７に戻る。
【０１０３】
以降同様に、変数Ｘが逐次歩進され、変数Ｘによって示される順番の画素の画素値が抽出され、抽出された画素値が閾値Ｔh2以上であれば、明部５３の測定幅Ｄｂが歩進され、また抽出された画素値が閾値Ｔh2未満であれば、明部５３の測定幅Ｄｂが「０」に初期設定され、次の画素の画素値が抽出される。
【０１０４】
ここで、図４（ｂ）、図５（ｂ）に示すように原稿画像の中央領域５１ａにおいては、変数Ｘの歩進に伴い、変数Ｘによって示される順番の画素が印字部５４で移行する。このときには、画素値が閾値Ｔh2未満となる確率が高いので、明部５３の測定幅Ｄｂが閾値Ｄ1以上となる前に、測定幅Ｄｂが「０」に初期設定され、ステップＳ２０７〜Ｓ２１２が繰り返されることになる。
【０１０５】
また、図４（ｂ）に示すように明部５３が狭かったり無かった場合は、明部５３の測定幅Ｄｂが閾値Ｄ1以上になることなく、変数Ｘによって示される順番の画素が暗部５２に入る。そして、変数Ｘによって示される順番の画素が暗部５２に入り続けている限りは、その順番の画素値が閾値Ｔh2未満となり、明部５３の測定幅Ｄｂが「０」に初期設定される。
【０１０６】
更に、変数Ｘによって示される順番の画素が中央領域５１ａにおける右側の印字部５４に入っても、画素値が閾値Ｔh2未満となる確率が高いので、明部５３の測定幅Ｄｂが閾値Ｄ1以上となる前に、測定幅Ｄｂが「０」に初期設定され、ステップＳ２０７〜Ｓ２１２が繰り返されることになる。
【０１０７】
従って、明部５３の測定幅Ｄｂが閾値Ｄ1以上になることなく、変数Ｘが「Max」に達する（ステップＳ２１１で「Ｙｅｓ」）。この場合は、原稿載置板２に対する原稿の押え付け度合いが弱過ぎるため、制御部４８は、ステップＳ２０２で求めた最小の画素値列によって示される中央領域５１ａの明暗画像を表示操作部４６の表示画面に表示する（ステップＳ２１３）。このため、利用者は、表示画面上の中央領域５１ａの明暗画像を見て、原稿載置板２に対して原稿が十分に押圧されていないことを直ちに察知することができる。
【０１０８】
更に、制御部４８は、最小の画素値列を求めた回数Ｃを「１」に歩進し（ステップＳ２１４）、この回数Ｃが許容回数「１０」に達していないことを確認してから（ステップＳ２１５「Ｎｏ」）、ステップＳ２０２に戻る。
【０１０９】
従って、明部５３の測定幅Ｄｂが閾値Ｄ1未満である限りは、原稿載置板２に対して原稿が十分に押圧されていなとみなされて、ステップＳ２０２〜Ｓ２１５の処理が繰り返され、中央領域５１ａの明暗画像が表示操作部４６の表示画面に表示される。このため、利用者は、表示画面上の中央領域５１ａの明暗画像を見ながら、原稿の押え付け度合いを適切に調節することができる。
【０１１０】
ただし、ステップＳ２０２〜Ｓ２１５の処理が繰り返される度に、最小の画素値列を求めた回数Ｃが歩進され、この回数Ｃが許容回数「１０」に達したならば（ステップＳ２１５で「Ｙｅｓ」）、制御部４８は、原稿画像の中央領域５１ａにおける明部５３の幅が広くならず、原稿の押え付け度合いを調節することができなかったことから、原稿の読取りが不可能な旨を表示操作部４６の表示画面に表示する（ステップＳ２１６）。
【０１１１】
また、図５（ｂ）に示すように左側の明部５３が広かった場合は、変数Ｘの歩進に伴い、変数Ｘによって示される順番の画素が明部５３に近づいて行き、更には変数Ｘによって示される順番の画素が明部５３に入る。このとき、制御部４８は、変数Ｘによって示される順番の画素値が閾値Ｔh2以上であると判定し（ステップＳ２０７で「Ｙｅｓ」）、この画素値が明部５３を示す可能性があることから、明部５３の測定幅Ｄｂを「１」に歩進し（ステップＳ２０８）、明部５３の測定幅Ｄｂが閾値Ｄ1未満であることを確認してから（ステップＳ２０９で「Ｎｏ」）、変数Ｘを「Ｘ＋１」に歩進して更新し（ステップＳ２１０）、更に変数Ｘが「Max」に達していないことを確認してから（ステップＳ２１１で「Ｎｏ」）、ステップＳ２０７に戻る。
【０１１２】
この後、変数Ｘによって示される順番が更新される度に、変数Ｘによって示される順番の画素が閾値Ｔh2以上であると判定され（ステップＳ２０７で「Ｙｅｓ」）、明部５３の測定幅Ｄｂが歩進され（ステップＳ２０８）、明部５３の測定幅Ｄｂが閾値Ｄ1未満であると判定され（ステップＳ２０９で「Ｎｏ」）、変数Ｘが歩進して更新され（ステップＳ２１０）、変数Ｘが「Max」に達していないことが確認されてから（ステップＳ２１１で「Ｎｏ」）、ステップＳ２０７に戻る。
【０１１３】
従って、変数Ｘによって示される順番の画素が閾値Ｔh2以上であって、明部５３の測定幅Ｄｂが閾値Ｄ1未満である限りは、明部５３の測定幅Ｄｂが更新されて行く。
【０１１４】
そして、左側の明部５３の測定幅Ｄｂが閾値Ｄ1以上になると（ステップＳ２０９で「Ｙｅｓ」）、制御部４８は、左側の明部５３の幅の判定を終了して、左側の明部５３の開始画素と終了画素の順番を記憶する。
【０１１５】
引き続いて、制御部４８は、右側の明部５３の幅の判定を開始するべく、変数Ｘを「Max」に初期設定し（ステップＳ２１７）、明部５３の測定幅Ｄｂを「０」に初期設定する（ステップＳ２１８）。更に、制御部４８は、ステップＳ２０２で求めた中央領域５１ａにおける最小の画素値列から、変数Ｘ「Max」によって示される最終画素値を抽出し、この最終画素値が閾値Ｔh2以上であるか否かを判定する（ステップＳ２１８）。
【０１１６】
最終画素は、図５（ｂ）に示すように印字部５４に入ることから、最終画素値が閾値Ｔh2以上又は未満である。最終画素値が閾値Ｔh2以上であれば（ステップＳ２１９で「Ｙｅｓ」）、制御部４８は、明部５３の測定幅Ｄｂを「１」に歩進し（ステップＳ２２０）、明部５３の測定幅Ｄｂが閾値Ｄ1未満であることを確認し（ステップＳ２２１で「Ｎｏ」）、変数Ｘから１を差し引いて、変数Ｘを更新し（ステップＳ２２２）、変数Ｘが「０」に達していないことを確認して（ステップＳ２２３で「Ｎｏ」）、ステップＳ２１９に戻る。
【０１１７】
引き続いて、制御部４８は、ステップＳ２０２で求めた中央領域５１ａにおける最小の画素値列から、変数Ｘによって示される最終画素から２番目の画素値を抽出し、この画素値が閾値Ｔh2以上であるか否かを判定する（ステップＳ２１９）。例えば、この最終画素から２番目の画素値が閾値Ｔh2未満であるとすると（ステップＳ２１９で「Ｎｏ」）、この画素値が明部５３を示さないことから、制御部４８は、明部５３の測定幅Ｄｂを「０」に初期設定し（ステップＳ２２６）、変数Ｘから１を差し引いて、変数Ｘを更新し（ステップＳ２２２）、変数Ｘが「０」に達していないことを確認して（ステップＳ２２３で「Ｎｏ」）、ステップＳ２１９に戻る。
【０１１８】
以降同様に、変数Ｘが逐次更新され、変数Ｘによって示される順番の画素の画素値が抽出され、抽出された画素値が閾値Ｔh2以上であれば、明部５３の測定幅Ｄｂが歩進され、また抽出された画素値が閾値Ｔh2未満であれば、明部５３の測定幅Ｄｂが「０」に初期設定され、次の画素の画素値が抽出される。
【０１１９】
そして、変数Ｘの更新に伴い、変数Ｘによって示される順番が小さくなって行くと、変数Ｘによって示される順番の画素が明部５３に近づいて行き、更には変数Ｘによって示される順番の画素が右側の明部５３に入る。このとき、制御部４８は、変数Ｘによって示される順番の画素値が閾値Ｔh2以上であると判定し（ステップＳ２１９で「Ｙｅｓ」）、明部５３の測定幅Ｄｂを「１」に歩進し（ステップＳ２２０）、明部５３の測定幅Ｄｂが閾値Ｄ1未満であることを確認してから（ステップＳ２２１で「Ｎｏ」）、変数Ｘを「Ｘ−１」に更新し（ステップＳ２２２）、更に変数Ｘが「０」に達していないことを確認してから（ステップＳ２２３で「Ｎｏ」）、ステップＳ２１９に戻る。
【０１２０】
この後、変数Ｘによって示される順番が更新される度に、変数Ｘによって示される順番の画素値が閾値Ｔh2以上であると判定され（ステップＳ２１９で「Ｙｅｓ」）、明部５３の測定幅Ｄｂが歩進され（ステップＳ２２０）、明部５３の測定幅Ｄｂが閾値Ｄ1未満であると判定され（ステップＳ２２１で「Ｎｏ」）、変数Ｘが更新され（ステップＳ２２２）、変数Ｘが「０」に達していないことが確認されてから（ステップＳ２２３で「Ｎｏ」）、ステップＳ２１９に戻る。
【０１２１】
そして、右側の明部５３の測定幅Ｄｂが閾値Ｄ1以上になると（ステップＳ２２１で「Ｙｅｓ」）、制御部４８は、右側の明部５３の開始画素と終了画素の順番を先に記憶しておいた左側の明部５３の開始画素と終了画素の順番と比較し、それらの順番が一致しないことを確認し、つまり右側の明部５３と左側の明部が異なることを確認してから（ステップＳ２２４で「Ｙｅｓ」）、ステップＳ２０２で求めた最小の画素値列によって示される中央領域５１ａの明暗画像を表示操作部４６の表示画面に表示する（ステップＳ２２５）。このとき、利用者は、表示操作部４６の表示画面を見て、原稿５１の綴じられている中央領域５１ａが浮き上がっていないことを確認した後で、表示操作部４６のキー操作により原稿の読取開始を指示することができる。
【０１２２】
制御部４８は、表示操作部４６のキー操作により原稿の読取開始が指示されたか否かを判定しつつ（ステップＳ２２６）、ステップＳ２２５の表示開始からの経過時間を計時して、この経過時間が一定時間に達したか否かを判定し（ステップＳ２２７）、経過時間が一定時間に達する前に（ステップＳ２２７で「Ｎｏ」）、原稿の読取開始が指示されたならば（ステップＳ２２６で「Ｙｅｓ」）、読取り走査系４２を駆動制御して、原稿載置板２上の原稿の画像を読取る（ステップＳ２２８）。
【０１２３】
また、制御部４８は、原稿の読取開始が指示されないまま（ステップＳ２２６で「Ｎｏ」）、経過時間が一定時間に達すると（ステップＳ２２７で「Ｙｅｓ」）、ステップＳ２１４に移行する。
【０１２４】
また、右側の明部５３の開始画素と終了画素の順番が左側の明部５３の開始画素と終了画素の順番と一致した場合は（ステップＳ２２４で「Ｎｏ」）、ステップＳ２０３に移行して、ステップＳ２０２で求めた最小の画素値列によって示される中央領域５１ａの明暗画像を表示操作部４６の表示画面に表示する。
【０１２５】
このように本実施形態では、原稿画像の中央領域５１ａにおける左側及び右側の明部５３の測定幅Ｄｂのいずれもが閾値Ｄ1以上になると、明部５３が広くて、原稿載置板２に対する原稿の押え付け度合いが適切であると判定している。
【０１２６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１２７】
例えば、原稿画像の中央領域における暗部や明部の幅と閾値を比較するだけではなく、暗部と明部の幅の比率や差を求め、これらの比率や差に基づいて、原稿の押え付け度合いが適切であるか否かを判定しても良い。
【０１２８】
また、本などの綴じられ原稿の中央領域が主走査方向に沿って延びている状態を例示しているが、原稿の中央領域が副走査方向に沿って延びていても、本発明を適用することができる。例えば、図８に示すように原稿載置板２上に原稿５１が載置され、原稿５１の中央領域５１ａが副走査方向に沿って延びているとすると、第１走査ユニット３を副走査方向の規定位置Ｈまで移動させてから、読取り走査系４２により原稿の画像を主走査方向に沿って読取る。制御部４８は、読取り走査系４２により主走査方向に沿って読取られた原稿の画像、つまり主走査方向の画素列を入力し、この主走査方向の画素列から原稿の画像中央領域における画素列を抽出し、この中央領域における主走査方向の画素列に基づいて、原稿５１の押え付け度合いが適切であるか否かを判定する。この中央領域における主走査方向の画素列に基づく判定も、図６もしくは図７のフローチャートの処理と同様に行うことができる。
【図面の簡単な説明】
【０１２９】
【図１】本発明の原稿読取装置の実施形態１を概略的に示す側面図である。
【図２】図１の原稿読取装置の機構を示す斜視図である。
【図３】図１の原稿読取装置の制御系を示すブロック図である。
【図４】（ａ）は本などの綴じられた原稿を開いて原稿載置板に載置した状態を示す側面図であり、（ｂ）は（ａ）の状態で読取った原稿画像を示す図であり、（ｃ）は（ｂ）の原稿画像の中央領域における副走査方向の画素値列を示す図である。
【図５】（ａ）は原稿載置板上の本などの綴じられた原稿を抑え付けた状態を示す側面図であり、（ｂ）は（ａ）の状態で読取った原稿画像を示す図であり、（ｃ）は（ｂ）の原稿画像の中央領域における副走査方向の画素値列を示す図である。
【図６】実施形態１における原稿の押え付け度合いが適切であるか否かの判定処理を示すフローチャートである。
【図７】実施形態２における原稿の押え付け度合いが適切であるか否かの判定処理を示すフローチャートである。
【図８】副走査方向に沿って延びている原稿の中央領域を読取っている状態を示す平面図である。
【符号の説明】
【０１３０】
１  原稿読取装置
２  原稿載置板
３  第１走査ユニット
４  第２走査ユニット
５  結像レンズ
６  ＣＣＤ（Charge Coupled Device）
２１  暗筐体
２２〜２５  プーリ
２６  ワイヤー
２７  コイルバネ
３１、３２  ガイドレール
３３  ステッピングモータ
４１  原稿サイズセンサ
４２  読取り走査系
４３  画像処理部
４４  記憶部
４５  通信部
４６  表示操作部
４７  原稿載置板変形検出部
４８  制御部
【図１】
2009253456.tif 000003
【図２】
2009253456.tif 000004
【図３】
2009253456.tif 000005
【図４】
2009253456.tif 000006
【図５】
2009253456.tif 000007
【図６】
2009253456.tif 000008
【図７】
2009253456.tif 000009
【図８】
2009253456.tif 000010